(57)【要約】  【課題】  本発明は固定金具の取付け作業工数を削減し、取付けに際しての部品点数を削減した溶接装置を提供することを目的とする。  【解決手段】  ケーブル２１またはホース２２を固定する略Ｕ字形状の固定金具１の両側端部に折り曲げ部を設け、固定金具１の片側端部３をケーブル２１またはホース２２を保持するケース２の孔４内部に挿入し、もう１つの片側端部にケース２との結合部５を設けたもので、固定金具１の片側端部３をケース２に設けられた孔４の内部に挿入するだけで固定金具１の片側を固定できるので、取付け工数を削減できる。また、結合部が１個所となるので部品点数を削減することができる。【選択図】  図１
2005246429.tif 000002
【特許請求の範囲】
【請求項１】
ケーブルまたはホースを固定する略Ｕ字形状の固定金具の両側端部に折り曲げ部を設け、前記固定金具の中心部に前記ケーブルまたはホースを配置し、前記固定金具の片側端部を前記ケーブルまたはホースを保持するケースの孔内部に挿入し、もう１つの片側端部に前記ケースとの結合部を設けた溶接装置。
【請求項２】
固定金具片側端部の結合部とケースを螺合により固定する請求項１記載の溶接装置。
【発明の詳細な説明】
【技術分野】
【０００１】
本発明は、溶接作業に使用される溶接装置のケーブルまたはホースの固定に関するものである。
【背景技術】
【０００２】
溶接装置のケーブルについては、例えばその締結の方法として一端に蝶番形状の回動部を有して多端を螺子によって溶接ケーブルを固定するものがあるが（特許文献１参照）、構造が複雑になるのでコストが高くなり、一般的には、締結用金具の両端を螺子止めする構造としていた。
【０００３】
このような従来の溶接装置のケーブルとホースの固定部を図３を用いて説明する。
【０００４】
図３は溶接装置のケーブルとホースの固定部の断面図で、２０はケーブル２１とホース２２をケース２３に固定する固定金具、２４は固定金具２０の取付けによりケーブル２１及びホース２２に過度な締付け力が加わらないようにしたり、固定金具２０とケーブル２１及びホース２２の隙間を埋めるスペーサである。２５，２６は固定金具２０をケース２３に固定するねじである。
【特許文献１】特開平６−２４６４８７号公報
【発明の開示】
【発明が解決しようとする課題】
【０００５】
しかしながら、上記従来の構成の溶接装置では、ケーブル２１、ホース２２及びスペーサ２４を固定金具２０の中央に配置し、ねじ２５により固定金具２０をケース２３に固定した後、ねじ２６により固定金具２０をケース２３に固定していたので、固定金具２０の取付け作業工数が長くなっていた。また、固定金具２０の取付けに際して多くのねじ２５，２６を使用していた。
【０００６】
したがって本発明は、上記従来の課題を解消し固定金具の取付け作業工数を短くし、取付けに際しての部品点数を減らした溶接装置を提供することを目的とする。
【課題を解決するための手段】
【０００７】
この目的を達成するために、本発明の溶接装置は、ケーブルまたはホースを固定する略Ｕ字形状の固定金具の両側端部に折り曲げ部を設け、固定金具の中心部にケーブルまたはホースを配置し、固定金具の片側端部をケーブルまたはホースを保持するケースの孔内部に挿入し、もう１つの片側端部にケースとの結合部を設けたものである。
【０００８】
この構成によれば、固定金具の片側端部をケースに設けられた孔の内部に挿入するだけで固定金具の片側を固定できるので、取付け工数を削減できる。また、結合部が１個所となるので部品点数を削減することができる。
【発明の効果】
【０００９】
以上のように本発明によると、固定金具の取付け作業工数を削減し、取付けに際しての部品点数も削減することができるという多大な効果を奏する。
【発明を実施するための最良の形態】
【００１０】
以下、本発明の実施の形態につき図１ないし図２に沿って説明する。
【００１１】
なお、符号２１、２２、２４については図３に示した従来の溶接装置と同じであるので、その説明を省略する。
【００１２】
（実施の形態１）
図１は溶接装置のケーブルとホースの固定部の断面図を示し、１はケーブル２１とホース２２をケース２に固定する略Ｕ字形状の固定金具で、固定金具１の両側端部は折り曲げ部が設けられている。
【００１３】
次に、固定金具１によってケース２にケーブル２１とホース２２を固定する方法について説明する。
【００１４】
固定金具１の中心部にケーブル２１、ホース２２及びスペーサ２４を配置し、固定金具１の片側端部３をケース２に設けられた片側端部３の先端が入る孔４内部に挿入した後、固定金具１のもう１方の片側端部に設けられた結合部５とケース２を接続する。
【００１５】
この時、結合部５とケース２を接続する部材６はリベットまたはねじ等でよいが、ケーブル２１またはホース２２の補修を考慮すると、着脱が可能なねじによる固定方法が良い。また、片側端部３は外側に折り曲げているが内側に曲げても固定金具１の機能が変わらないことは言うまでもない。
【００１６】
この実施の形態１によれば、固定金具１の片側端部３をケース２に設けられた孔４の内部に挿入するだけで片側端部３がケース２の内側２ａに引っ掛かり固定金具１の片側端部３を固定できるので、固定金具１の取付け工数を削減できる。また、結合部５が１個所となるので接続部材６の部品点数を削減することができる。
【００１７】
また、固定金具１の片側端部３には、結合部５ように接続部材６で固定する構造が不要となるので、固定金具１の構造を簡略化することができる。
【００１８】
（実施の形態２）
本実施の形態において実施の形態１と同様の構成については同一の番号を付して詳細な説明を省略する。
【００１９】
実施の形態１と異なるのは、ケーブル２１とホース２２が固定されるケース７が直角となり、固定金具８がケース７に合わせた形状になった点である。
【００２０】
図２は溶接装置のケープルとホースの固定部の断面図を示し、８はケーブル２１とホース２２をケース７に固定する略Ｕ字形状の固定金具で、固定金具８の両側端部は折り曲げ部が設けられている。
【００２１】
次に、固定金具８によってケース７にケーブル２１とホース２２を固定する方法について説明する。固定金具８の中心部にケーブル２１、ホース２２及びスペーサ２４を配置し、固定金具８の片側端部９をケース７に設けられた片側端部９の先端が入る孔４内部に挿入した後、固定金具８のもう１方の片側端部に設けられた結合部５とケース７を接続する。
【００２２】
この時、結合部５とケース７を接続する部材６はリベットまたはねじ等でよいが、ケーブル２１またはホース２２の補修を考慮すると、着脱が可能なねじによる固定方法が良い。
【００２３】
また、片側端部９は内側に折り曲げているが外側に曲げても固定金具８の機能が変わらないことは言うまでもない。
【００２４】
この実施の形態２によれば、固定金具８の片側端部９をケース７に設けられた孔４の内部に挿入するだけで片側端部９がケース７の内側７ａに引っ掛かり固定金具８の片側端部９を固定できるので、固定金具８の取付け工数を削減できる。
【００２５】
また、結合部５が１個所となるので接続部材６の部品点数を削減することができる。
【００２６】
また、固定金具８の片側端部９には、結合部５ように接続部材６で固定する構造が不要となるので、固定金具８の構造を簡略化することができる。
【産業上の利用可能性】
【００２７】
本発明の溶接装置によれば、固定金具の片側端部をケースに設けられた孔の内部に挿入するだけで固定金具の片側を固定できるので、取付け工数を削減でき、溶接用のケーブルを締結する溶接装置にもちいれば、コスト削減などに有用である。
【図面の簡単な説明】
【００２８】
【図１】本発明の実施の形態１における溶接装置のケーブルとホースの固定部の断面図
【図２】本発明の実施の形態２における溶接装置のケーブルとホースの固定部の断面図
【図３】従来の溶接装置のケーブルとホースの固定部の断面図
【符号の説明】
【００２９】
１、８  固定金具
２、７  ケース
３、９  片側端部
４  孔
５  結合部
２１  ケーブル
２２  ホース
【図１】
2005246429.tif 000003
【図２】
2005246429.tif 000004
【図３】
2005246429.tif 000005